(57)【要約】【課題】第１の筐体と、この第１の筐体に対して複数の状態で位置決めされる第２の筐体とを備えたコンバーチブル型の構造を有する情報処理装置であって、第１の筐体と第２の筐体との隙間が異なる複数の閉状態で位置決めすることができる情報処理装置を提供する。【解決手段】本発明に係る情報処理装置の一例としての携帯電話機１０は、第１の筐体１１、第２の筐体１２、および第２の筐体１２に対し第１の筐体１１を開閉自在に連結する連結部１３を有する。第１の筐体１１は、第１の面１４とこの第１の面１４の背面である第２の面１５とを有する。第１の筐体１１および第２の筐体１２は、第１の面１４が第２の筐体１２と近接対向して閉じられた第１の状態、および第２の面１５が第２の筐体１２と近接対向して閉じられた第２の状態をとることが可能であり、第１の状態および第２の状態における第１の筐体１１と第２の筐体１２の隙間が異なるよう構成される。【選択図】  図１
2009141750.tif 000002
【特許請求の範囲】
【請求項１】
第１の面とこの第１の面の背面である第２の面とを有する第１の筐体と、
第３の面とこの第３の面の背面である第４の面とを有する第２の筐体と、
前記第２の筐体に対し前記第１の筐体を第１軸およびこの第１軸に平行な第２軸を中心に回動することにより開閉自在に連結する連結部と、
を備え、
前記第１軸および前記第２軸は、前記第１、第２、第３および第４の面に平行であり、
前記第１軸は前記第１の筐体を、前記第２軸は前記第２の筐体を、それぞれ貫くよう位置し、
前記第１の面が前記第３の面と近接対向して閉じられて前記第１の面と前記第３の面とがほぼ平行となる第１の状態、および、前記第２の面が前記第４の面と近接対向して閉じられて前記第２の面と前記第４の面とがほぼ平行となる第２の状態をとることが可能であり、
前記第１の状態における前記第１の面から前記第３の面までの距離と、前記第２の状態における前記第２の面から前記第４の面までの距離とが、異なるよう構成されたことを特徴とする情報処理装置。
【請求項２】
前記第１の筐体および前記第２の筐体は、
前記第１軸を含み前記第２の面に平行な第１回転軸面から前記第１の面までの距離と前記第２軸を含み前記第４の面に平行な第２回転軸面から前記第３の面までの距離との合計が、前記第１回転軸面から前記第２の面までの距離と前記第２回転軸面から前記第４の面までの距離との合計と、異なるよう構成された、
請求項１記載の情報処理装置。
【請求項３】
前記第１の筐体および前記第２の筐体は、
前記第１回転軸面から前記第１の面までの距離と前記第２回転軸面から前記第３の面までの距離との合計よりも、前記第１回転軸面から前記第２の面までの距離と前記第２回転軸面から前記第４の面までの距離との合計の方が、小さくなるよう構成された、
請求項２記載の情報処理装置。
【請求項４】
前記第２の面および前記第４の面の少なくとも一方に、スピーカの放音用の穴が設けられた、
請求項１ないし請求項３のいずれか１項に記載の情報処理装置。
【請求項５】
第１の面とこの第１の面の背面である第２の面とを有する第１の筐体と、
第３の面とこの第３の面の背面である第４の面とを有する第２の筐体と、
前記第２の筐体に対し前記第１の筐体を、第１軸を中心に開閉自在およびこの第１軸に直交する第２軸を中心に回転自在に連結する連結部と、
を備え、
前記第１の面が前記第３の面と近接対向して閉じられて前記第１の面と前記第３の面とがほぼ平行となる第１の状態、および、前記第２の面が前記第３の面と近接対向して閉じられて前記第２の面と前記第３の面とがほぼ平行となる第２の状態をとることが可能であり、
前記第１の状態における前記第１の面から前記第３の面までの距離と、前記第２の状態における前記第２の面から前記第３の面までの距離とが、異なるよう構成されたことを特徴とする情報処理装置。
【請求項６】
前記第１の筐体は、
前記第１軸を含み前記第２の面に平行な第１回転軸面から前記第１の面までの距離と、前記第１回転軸面から前記第２の面までの距離とが異なるよう構成された、
請求項５記載の情報処理装置。
【請求項７】
前記第１の筐体は、
前記第１回転軸面から前記第１の面までの距離よりも、前記第１回転軸面から前記第２の面までの距離の方が、短くなるよう構成された、
請求項５記載の情報処理装置。
【発明の詳細な説明】
【技術分野】
【０００１】
本発明は、第１の筐体と、この第１の筐体に対して複数の状態で位置決めされる第２の筐体とを有する情報処理装置に関する。
【背景技術】
【０００２】
最近、折りたたみ式の携帯電話機やノートブック型のパーソナルコンピュータなどの、第１の筐体と、この第１の筐体に連結された第２の筐体とを有する情報処理装置に対して、コンバーチブル型の構造が採用されることが多くなってきた。
【０００３】
コンバーチブル型の構造を有する情報処理装置は、少なくとも２種の閉状態および１種の開状態で、第１の筐体に対して第２の筐体を位置決めすることができる。
【０００４】
たとえば、キーボードなどの操作部を有する操作部側筐体と、液晶表示画面を有する表示部側筐体と、両筐体を連結する２軸回転ヒンジとを備えたコンバーチブル型の構造を有する情報処理装置では、操作部側筐体の操作部を有する面が表示部側筐体の液晶表示画面を有する面で覆って閉じられた第１の閉状態（完全クローズモード）と、少なくとも液晶表示画面が露出するように、操作部側筐体の操作部を有する面またはこの面の背面が表示部側筐体の液晶表示画面を有する面の背面で覆って閉じられた第２の閉状態との２種の閉状態で、操作部側筐体に対して表示部側筐体を位置決めすることができる。
【０００５】
従来、この種のコンバーチブル型の構造を有する情報処理装置には、特開２００２−１９８８４９号公報（特許文献１）に開示されたものがある。
【０００６】
この特許文献１に開示された折りたたみ式無線通信端末は、操作部を有する操作部側筐体と、液晶表示画面を有する表示部側筐体と、平行２軸ヒンジとを備え、第１の閉状態（完全クローズモード）と、操作部および液晶表示画面が露出するように、操作部側筐体の操作部を有する面の背面が表示部側筐体の液晶表示画面を有する面の背面で覆って閉じられた第２の閉状態（露出クローズモード）との２種の閉状態で、操作部側筐体に対して表示部側筐体を位置決めすることができる。
【０００７】
この折りたたみ式無線通信端末は、露出クローズモードで利用することにより、折りたたまれた状態でも表示部を見ることができるとともに操作部を利用することができるため、大変便利である。
【特許文献１】特開２００２−１９８８４９号公報
【発明の開示】
【発明が解決しようとする課題】
【０００８】
ところで、従来のコンバーチブル型の構造を有する情報処理装置では、表示部側筐体と操作部側筐体との隙間が、第１の閉状態と第２の閉状態とでほぼ同一かつ極力狭くなるように設計される。これは、収納性や携行性を向上させるうえで有効なためである。
【０００９】
しかし、技術の進歩に伴い、コンバーチブル型の構造を有する情報処理装置の利用形態として、表示部側筐体と操作部側筐体との隙間が閉状態において単に狭いだけでは好ましくなく、第１の閉状態と第２の閉状態とで異なるほうがより好ましい形態も考えられるようになってきた。
【００１０】
たとえば、最近、技術の進歩に伴い、テレビ視聴機能を搭載した携帯電話機が多くなってきた。しかし、たとえば従来の平行２軸ヒンジを有する携帯電話機では、操作部側筐体の操作部を有する面の背面または表示部側筐体の液晶表示画面を有する面の背面にスピーカ穴があると、露出クローズモードでテレビ視聴される場合、スピーカから出力される音がこもってしまう。この場合、表示部側筐体と操作部側筐体との隙間は、完全クローズモードでは携行性を考慮して狭いほうが好ましい一方、露出クローズモードではテレビ視聴の利便性を考慮して完全クローズモードより広いほうが好ましい。
【００１１】
本発明は、上述した事情を考慮してなされたもので、第１の筐体と、この第１の筐体に対して複数の状態で位置決めされる第２の筐体とを備えたコンバーチブル型の構造を有する情報処理装置であって、第１の筐体と第２の筐体との隙間が異なる複数の閉状態で位置決めすることができる情報処理装置を提供することを目的とする。
【課題を解決するための手段】
【００１２】
本発明に係る情報処理装置は、上述した課題を解決するために、第１の面とこの第１の面の背面である第２の面とを有する第１の筐体と、第３の面とこの第３の面の背面である第４の面とを有する第２の筐体と、前記第２の筐体に対し前記第１の筐体を第１軸およびこの第１軸に平行な第２軸を中心に回動することにより開閉自在に連結する連結部と、を備え、前記第１軸および前記第２軸は、前記第１、第２、第３および第４の面に平行であり、前記第１軸は前記第１の筐体を、前記第２軸は前記第２の筐体を、それぞれ貫くよう位置し、前記第１の面が前記第３の面と近接対向して閉じられて前記第１の面と前記第３の面とがほぼ平行となる第１の状態、および、前記第２の面が前記第４の面と近接対向して閉じられて前記第２の面と前記第４の面とがほぼ平行となる第２の状態をとることが可能であり、前記第１の状態における前記第１の面から前記第３の面までの距離と、前記第２の状態における前記第２の面から前記第４の面までの距離とが、異なるよう構成されたことを特徴とするものである。
【００１３】
また、本発明に係る情報処理装置は、上述した課題を解決するために、第１の面とこの第１の面の背面である第２の面とを有する第１の筐体と、第３の面とこの第３の面の背面である第４の面とを有する第２の筐体と、前記第２の筐体に対し前記第１の筐体を、第１軸を中心に開閉自在およびこの第１軸に直交する第２軸を中心に回転自在に連結する連結部と、を備え、前記第１の面が前記第３の面と近接対向して閉じられて前記第１の面と前記第３の面とがほぼ平行となる第１の状態、および、前記第２の面が前記第３の面と近接対向して閉じられて前記第２の面と前記第３の面とがほぼ平行となる第２の状態をとることが可能であり、前記第１の状態における前記第１の面から前記第３の面までの距離と、前記第２の状態における前記第２の面から前記第３の面までの距離とが、異なるよう構成されたことを特徴とするものである。
【発明の効果】
【００１４】
本発明に係る情報処理装置は、第１の筐体と、この第１の筐体に対して複数の状態で位置決めされる第２の筐体とを備えたコンバーチブル型の構造を有する情報処理装置であって、第１の筐体と第２の筐体との隙間が異なる複数の閉状態で位置決めすることができる。
【発明を実施するための最良の形態】
【００１５】
本発明に係る情報処理装置の実施の形態について、添付図面を参照して説明する。
【００１６】
図１は、本発明に係る情報処理装置の第１実施形態を示す概略的な全体構成図である。
【００１７】
なお、本実施形態の説明においては、本発明に係る情報処理装置として、平行２軸ヒンジを有する携帯電話機を用いる場合の一例について示す。
【００１８】
図１（ａ）には携帯電話機１０が開いている状態における正面からみた外観図を、図１（ｂ）には右側面から見た外観図を、（ｃ）には背面から見た外観図を、それぞれ示した。
【００１９】
携帯電話機１０は、第１の筐体１１、第２の筐体１２、および第２の筐体１２に対し第１の筐体１１を開閉自在に連結する連結部１３を有する。
【００２０】
第１の筐体１１は、第１の面１４とこの第１の面１４の背面である第２の面１５とを有する。第１の面１４には、表示部１６が設けられる（図１（ａ）参照）。第２の面１５には、スピーカから出力される音声を放音するためのスピーカ穴１７が設けられる（図１（ｃ）参照）。
【００２１】
第２の筐体１２は、第３の面１８とこの第３の面１８の背面である第４の面１９とを有する。第３の面１８には、操作部２０が設けられる。
【００２２】
表示部１６は、たとえば液晶ディスプレイやＯＬＥＤ（Organic Light Emitting Device）ディスプレイなどの一般的な表示出力装置により構成され、表示部１６の背景画像（壁紙）、壁紙に重畳表示される電池残量や電波強度を概略的に示す画像などの各種アイコンや、着信時に表示される画像および映像などを表示する。
【００２３】
操作部２０は、たとえばキーボード、タッチパネル、テンキーなどの一般的な入力装置により構成され、ユーザの操作に対応した操作入力信号を出力する。
【００２４】
図１（ｂ）に示すように、第１の筐体１１および第２の筐体１２の端部には、それぞれ第１の回転部２１および第２の回転部２２が固設される。第１の回転部２１は、第１軸２３を中心として矢印Ｘの方向に回動する。また、第２の回転部２２は、第２軸２４を中心として矢印Ｙの方向に回動する。なお、図における十字は第１軸２３および第２軸２４の位置を示すための仮想的な印である。
【００２５】
第１軸２３および第２軸２４は、前記第１、第２、第３および第４の面１４，１５、１８および１９全てに平行である。また、第１軸２３は第１の筐体１１を、第２軸２４は前記第２の筐体１２を、それぞれ貫くよう位置する。
【００２６】
連結部１３は、第１の回転部２１および第２の回転部２２が互いに独立に回転可能となるように、第１の回転部２１および第２の回転部２２を連結する。なお、以下の説明においては、携帯電話機１０の縦断面に平行な面（図１（ｂ）参照）における第１軸２３から第２軸２４までの距離が変化しない場合の例について説明する。
【００２７】
第２の回転部２２は、回転機構に加え、回転を規制するロック機構を有する。ロック機構による回転規制機能が働いている場合は、第２の回転部２２は回転することができない。この回転規制機能は、ユーザによる操作を受けて解除することができる。以下の説明では、図１に示したように、この回転規制機能を解除するためのロック解除ボタン２５が第２の筐体１２の左側面に設けられ、このロック解除ボタン２５が押されている間、回転規制機能が解除される場合の例について示す。
【００２８】
第１の筐体１１は、第２の筐体１２に対して、開状態（オープンモード）と閉状態で位置決めすることができる。閉状態については、第１の状態としての完全クローズモードおよび第２の状態としての露出クローズモードの２つの状態で位置決めすることができる。
【００２９】
図１は、オープンモードにおける携帯電話機１０の一例である。以下の説明においては、第２の筐体１２に対する第１の筐体１１の位置が、通常の携帯電話として使用する位置である状態を、オープンモードというものとする。
【００３０】
図２は、完全クローズモードにおける携帯電話機１０の外観の一例を示す説明図である。図２（ａ）には完全クローズモードにおける正面からみた外観図を、図２（ｂ）には右側面から見た外観図を、それぞれ示した。
【００３１】
以下の説明においては、オープンモード（図１（ｂ）参照）から第１の筐体１１が第１軸２３を中心として矢印Ｘの方向に回転して閉じることにより、第１の面１４が第３の面１８と近接対向して閉じられて第１の面１４と第３の面１８とがほぼ平行となって位置決めされた状態を、完全クローズモードというものとする。
【００３２】
図３は、露出クローズモードにおける携帯電話機１０の外観の一例を示す説明図である。図３（ａ）には露出クローズモードにおける正面からみた外観図を、図３（ｂ）には右側面から見た外観図を、それぞれ示した。
【００３３】
以下の説明においては、オープンモード（図１（ｂ）参照）から第２の筐体１２が第２軸２４を中心として矢印Ｙの方向に回転して閉じることにより、第２の面１５が第４の面１９と近接対向して閉じられて第２の面１５と第４の面１９とがほぼ平行となって位置決めされた状態を、露出クローズモードというものとする。なお、第２軸２４を中心として第２の筐体１２を矢印Ｙの方向に回転させるためには、ロック解除ボタン２５を押下する必要があることに注意する。
【００３４】
次に、本実施形態に係る情報処理装置の動作の一例について説明する。なお、以下の説明においては、閉状態における第１の筐体１１と第２の筐体１２の隙間が、完全クローズモード（第１の状態）よりも、露出クローズモード（第２の状態）のほうが広い場合の一例について説明する。
【００３５】
図４は、完全クローズモードにおける右側面図を用いて本実施形態に係る携帯電話機１０の各部の厚さを説明するための図である。
【００３６】
従来、２つの閉状態を取りうる情報処理装置では、収納性や携行性を重視し、第１の筐体１１と第２の筐体１２との隙間が２つの閉状態でほぼ同一かつ極力狭くなるように設計されてきた。しかし、２つの閉状態における第１の筐体１１と第２の筐体１２との隙間が異なるほうが好ましい利用形態も考えられる。
【００３７】
このような利用形態として、たとえば、第１の筐体１１の第２の面１５または第２の筐体１２の第４の面１９にスピーカ穴１７があり、かつ露出クローズモードでテレビ視聴されるような形態が挙げられる。この利用形態においては、第１の筐体１１と第２の筐体１２との隙間は、完全クローズモードでは携行性を考慮して狭いほうが好ましい一方、露出クローズモードではテレビ視聴の利便性を考慮して完全クローズモードより広いほうが好ましい。
【００３８】
図４に示すように、携帯電話機１０の第１の筐体１１の厚さｄ１は、第１軸２３を含み第２の面１５に平行な第１回転軸面３１から第１の面１４までの距離ｄ１１と、第１回転軸面３１から第２の面１５までの距離ｄ１２との合計である。また、第２の筐体１２の厚さｄ２は、第２軸２４を含み第４の面１９に平行な第２回転軸面３２から第３の面１８までの距離ｄ２１と、第２回転軸面３２から第４の面１９までの距離ｄ２２との合計である。
【００３９】
なお、本実施形態においては、ｄ１１、ｄ１２およびｄ２１が全て等しく、ｄ２２がｄ１１、ｄ１２およびｄ２１よりも距離Ｄだけ小さい場合の一例について示す。
【００４０】
完全クローズモードにおける第１の筐体１１と第２の筐体１２との隙間（クリアランス）ｃ１は、第１の面１４と第３の面１８との距離に等しい。完全クローズモードにおける第１の面１４と第３の面１８との距離ｃ１は、第１回転軸面３１から第２回転軸面３２までの距離ｄ０から、ｄ１１およびｄ２１を引いた距離である（c1 = d0 - (d11 + d21)）。
【００４１】
図５は、オープンモードにおける右側面図を用いて本実施形態に係る携帯電話機１０の連結部１３の様子の一例を説明するための図である。
【００４２】
図４と図５を比較すると明らかなように、完全クローズモードからオープンモードへは、第１軸２３を中心とした回転のみにより移行することができる。この際、ロック機構解除ボタンは押下されない。完全クローズモードからオープンモードに至るまで、第１軸２３および第２軸２４の位置は変化しない。したがって、第１回転軸面３１から第２回転軸面３２までの距離ｄ０も変化しない。
【００４３】
図６は、オープンモードにおける右側面図を用いて本実施形態に係る携帯電話機１０の連結部１３の様子の他の例を説明するための図である。
【００４４】
図６に示すように、オープンモードから露出クローズモードへは、第２軸２４を中心とした回転のみにより移行することができる。この際、ロック機構解除ボタンが押下される。オープンモードから露出クローズモードへ移行するにあたり、第１軸２３は、第２軸２４を中心として回転することにより、オープンモードにおける位置に対し、第２回転軸面３２を対称面とする面対称（鏡映対称）の位置まで移動する。となる。したがって、露出クローズモードにおける第１回転軸面３１から第２回転軸面３２までの距離は、完全クローズモードにおける距離と等しくｄ０である。
【００４５】
図７は、第２回転軸面３２から第４の面１９までの距離ｄ２２のみを小さくする場合における、完全クローズモード（第１の状態）および露出クローズモード（第２の状態）における第１の筐体１１と第２の筐体１２との隙間の違いを説明するための右側面図である。
【００４６】
図７に示すように、露出クローズモードにおける第１の筐体１１と第２の筐体１２との隙間（クリアランス）ｃ２は、第２の面１５と第４の面１９との距離に等しい。露出クローズモードにおける第２の面１５と第４の面１９との距離ｃ２は、第１回転軸面３１から第２回転軸面３２までの距離ｄ０から、ｄ１２およびｄ２２を引いた距離である（c2 = d0 - (d12 + d22)）。
【００４７】
ｄ１１、ｄ１２およびｄ２１は全て等しく、ｄ２２はｄ１１、ｄ１２およびｄ２１よりも距離Ｄだけ小さい（d11 = d12 = d21 = d22+D）。このため、ｃ２はｃ１よりもＤだけ広くなる（c2 = c1 + D）。
【００４８】
２つの閉状態において第１回転軸面３１と第２回転軸面３２との距離ｄ０が変化しない場合、第１の筐体１１と第２の筐体１２との隙間は、完全クローズモードでは、ｄ１１とｄ２１の合計で決まる。また、露出クローズモードでは、ｄ１２とｄ２２の合計で決まる。
【００４９】
したがって、ｄ１１とｄ２１の合計とｄ１２とｄ２２の合計とが異なるよう第１の筐体１１および第２の筐体１２を構成することにより、２つの閉状態における第１の筐体１１と第２の筐体１２との隙間（ｃ１およびｃ２）を異なるようにすることができる。
【００５０】
たとえば、第１の筐体１１と第２の筐体１２の隙間を、完全クローズモードにおける隙間ｃ１より露出クローズモードにおける隙間ｃ２のほうが大きくしたい場合は、ｄ１１とｄ２１の合計がｄ１２とｄ２２の合計よりも大きくなるようにすればよい。
【００５１】
以上の説明では、ｃ１よりｃ２のほうが大きくなる例として、ｄ２２のみを小さくする場合の例について説明したが、もちろん、ｄ１２のみを小さくすることによっても、また、ｄ１２とｄ２２をともにｄ１１およびｄ２１よりも小さくすることによっても、同様に、ｃ１よりもｃ２を大きくすることができる。
【００５２】
図８は、第１回転軸面３１から第２の面１５までの距離ｄ１２のみを小さくする場合における、完全クローズモード（第１の状態）および露出クローズモード（第２の状態）における第１の筐体１１と第２の筐体１２との隙間の違いを説明するための右側面図である。
【００５３】
図８に示すように、ｄ１２のみを小さくする場合（d11 = d12+D = d21 = d22）も、ｄ２２のみを小さくする場合と同様に、完全クローズモードにおける第１の筐体１１と第２の筐体１２の隙間ｃ１（c1 = d0 - (d11 + d21)）よりも、露出クローズモードにおける第１の筐体１１と第２の筐体１２の隙間ｃ２（c2 = d0 - (d12 + d22)）のほうが大きくすることができる（c2 = c1 + D）。
【００５４】
図９および図１０は、図１に示した携帯電話機１０の第１の筐体１１および第２の筐体１２の変形例を示す図である。図９（ａ）は図１に示した携帯電話機１０の第１の筐体１１および第２の筐体１２の変形例について完全クローズモードにおける正面からみた外観図、図９（ｂ）は右側面から見た外観図、図１０（ａ）は図１に示した携帯電話機１０の第１の筐体１１および第２の筐体１２の変形例について露出クローズモードにおける正面から見た外観図、および図１０（ｂ）は右側面から見た外観図である。
【００５５】
図９（ｂ）および図１０（ｂ）に示すように、第１の筐体１１および第２の筐体１２の形状が連結部１３付近で変化していても、完全クローズモードにおける隙間ｃ１はc1 = d0 - (d11 + d21)で表すことができ、露出クローズモードにおける隙間ｃ２はc2 = d0 - (d12 + d22)で表すことができる。
【００５６】
図９および図１０に示す変形例では、完全クローズモードにおける隙間ｃ１が連結部１３の隙間ｃｈと等しい場合の例について示した（c1 = ch）。また、本変形例では、連結部１３の厚さｄＡが、本体部の厚さｄＢよりＤだけ厚くなるように、第２の筐体１２を構成した場合の例について示した（dA = dB + D）。
【００５７】
図１０（ｂ）に示すように、本変形例では、露出クローズモードにおける隙間ｃ２は、連結部１３の隙間ｃｈに対してＤだけ加えた大きさに等しい（c2 = ch + D = c1 + D）。したがって、図９および図１０に示す変形例によっても、２つの閉状態における第１の筐体１１と第２の筐体１２との隙間（ｃ１およびｃ２）を異なるようにすることができる。
【００５８】
本実施形態に係る携帯電話機１０は、第１回転軸面３１から第１の面１４までの距離ｄ１１と第２回転軸面３２から第３の面１８までの距離ｄ２１との合計が、第１回転軸面３１から第２の面１５までの距離ｄ１２と第２回転軸面３２から第４の面１９までの距離ｄ２２との合計と異なるよう、第１の筐体１１および第２の筐体１２が構成される。したがって、本実施形態に係る携帯電話機１０によれば、第１の筐体１１と第２の筐体１２との隙間が異なる複数の閉状態で位置決めすることができる。
【００５９】
第１回転軸面３１と第２回転軸面３２との距離が閉状態間で同一である場合、完全クローズモードにおける隙間ｃ１はc1 = d0 - (d11 + d21)と表すことができ、露出クローズモードにおける隙間ｃ２はc2 = d0 - (d12 + d22)と表すことができる。このため、ｃ１はｄ１１とｄ２１の合計のみを変数として持ち、ｃ２はｄ１２とｄ２２の合計のみを変数として持つ。したがって、ｄ１１とｄ２１の合計およびｄ１２とｄ２２の合計を適宜調整することにより、各閉状態において所望の隙間を容易に得ることができる。
【００６０】
たとえば、ｄ１１とｄ２１の合計よりｄ１２とｄ２２の合計を小さくし、ｃ１よりｃ２を大きくすれば、第１の面１４または第４の面１９にスピーカ穴１７があり、かつ露出クローズモードでスピーカから放音させる利用形態において、音のこもりを低減することができるとともに、完全クローズモードにおける主要部の厚みは薄くすることができ、非常に便利である。また、露出クローズモードにおけるクリアランスを確保することにより、露出クローズモードにおける放熱効率を向上させることができる。
【００６１】
また、ｄ１１とｄ２１の合計よりｄ１２とｄ２２の合計を大きくし、ｃ２よりｃ１を大きくすれば、たとえば操作部２０のキーを従来に比べて突出させても、完全クローズモードで突出したキーが第１の面１４に接触することがないため、キー操作に不慣れなユーザにとって使い勝手のよい操作部２０を構成することができる。
【００６２】
次に、本発明に係る情報処理装置の第２実施形態について説明する。
【００６３】
図１１は、本発明に係る情報処理装置としての携帯電話機１０Ａの全体構成を示す概略的な斜視図である。
【００６４】
この第２実施形態に示す携帯電話機１０Ａは、連結部１３の機構が第１実施形態に示した携帯電話機１０と異なる。他の構成および作用については図１に示す携帯電話機１０と実質的に異ならないため、同じ構成には同一符号を付して説明を省略する。
【００６５】
第１の筐体１１は、第２の筐体１２に対して、第１軸２３を中心として矢印Ａの方向に開閉自在かつ第２軸２４を中心として矢印Ｂの方向に回動自在となるように、連結部１３を介して連結される。
【００６６】
第１の筐体１１は、第２の筐体１２に対して、開状態（オープンモード）と閉状態で位置決めすることができる。閉状態については、第１の状態としての完全クローズモードおよび第２の状態としての半露出クローズモードの２つの状態で位置決めすることができる。
【００６７】
半露出クローズモード（本実施形態における第２の状態）とは、図１１に示したオープンモードから、まず第２軸２４を中心に矢印Ｂの方向に１８０度回転したのち、第１軸２３を中心に矢印Ａの方向に閉じることにより、第２の面１５が第３の面１８と近接対向して閉じられて第２の面１５と第３の面１８とがほぼ平行となって位置決めされた状態をいうものとする。このとき、操作部２０は覆われて露出されないが、表示部１６は露出される。
【００６８】
図１２は、完全クローズモードにおける右側面図を用いて第２実施形態に係る携帯電話機１０Ａの各部の厚さを説明するための図である。また、図１３は、半露出クローズモードにおける右側面図を用いて第２実施形態に係る携帯電話機１０Ａの各部の厚さを説明するための図である。
【００６９】
なお、本実施形態においては、第２回転軸面３２を第１実施形態と同様の定義とすることができない。このため、以下、第２回転軸面３２にかえて第２の筐体１２の中心面（第２筐体中心面）３３を用いて説明する。
【００７０】
図１２に示すように、本実施形態においても、第１実施形態同様、完全クローズモードにおける第１の筐体１１と第２の筐体１２との隙間（クリアランス）ｃ１は、第１の面１４と第３の面１８との距離に等しい。完全クローズモードにおける第１の面１４と第３の面１８との距離ｃ１は、第１回転軸面３１から第２筐体中心面３３までの距離ｄ０から、ｄ１１およびｄ２１を引いた距離である（c1 = d0 - (d11 + d21)）。
【００７１】
また、図１３に示すように、半露出クローズモードにおける第１の筐体１１と第２の筐体１２との隙間（クリアランス）ｃ２は、第２の面１５と第３の面１８との距離に等しい。露出クローズモードにおける第２の面１５と第４の面１９との距離ｃ２は、第１回転軸面３１から第２筐体中心面３３までの距離ｄ０から、ｄ１２およびｄ２１を引いた距離である（c2 = d0 - (d12 + d21)）。
【００７２】
このため、２つの閉状態において第１回転軸面３１と第２筐体中心面３３との距離ｄ０が変化しない場合、第１の筐体１１と第２の筐体１２との隙間は、完全クローズモードではｄ１１で決まり、半露出クローズモードでは、ｄ１２で決まる。
【００７３】
したがって、ｄ１１とｄ１２が異なるよう第１の筐体１１を構成することにより、２つの閉状態における第１の筐体１１と第２の筐体１２との隙間（ｃ１およびｃ２）を異なるようにすることができる。
【００７４】
たとえば、第１の筐体１１と第２の筐体１２の隙間を、完全クローズモードにおける隙間ｃ１より露出クローズモードにおける隙間ｃ２のほうが大きくしたい場合は、図１１ないし図１３に示したように、ｄ１１がｄ１２よりも大きくなるようにすればよい。
【００７５】
本実施形態に係る携帯電話機１０Ａは、第１回転軸面３１から第１の面１４までの距離ｄ１１と、第１回転軸面３１から第２の面１５までの距離ｄ１２とが異なるよう、第１の筐体１１が構成される。したがって、本実施形態に係る携帯電話機１０Ａによれば、第１の筐体１１と第２の筐体１２との隙間が異なる複数の閉状態で位置決めすることができる。
【００７６】
第１回転軸面３１と第２筐体中心面３３との距離が閉状態間で同一である場合、完全クローズモードにおける隙間ｃ１はc1 = d0 - (d11 + d21)と表すことができ、露出クローズモードにおける隙間ｃ２はc2 = d0 - (d12 + d21)と表すことができる。このため、ｃ１はｄ１１のみから決定され、ｃ２はｄ１２のみから決定される。したがって、ｄ１１とｄ１２を適宜調整することにより、各閉状態において所望の隙間を容易に得ることができる。
【００７７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【００７８】
また、本発明は、上記説明した携帯電話機１０および１０Ａのほかにも、第１の筐体と、この第１の筐体に対して複数の閉状態で位置決めされる第２の筐体とを有するコンバーチブル型の構造を有するあらゆる情報処理装置に適用可能であり、たとえば、ノートブック型のパーソナルコンピュータ、ＰＤＡ（Personal Digital Assistant）、携帯型ゲーム機、携帯型音楽再生機、携帯型動画再生機などの携帯型の情報処理装置に適用することが可能である。
【図面の簡単な説明】
【００７９】
【図１】（ａ）は携帯電話機が開いている状態（オープンモード）における正面からみた外観図、（ｂ）は右側面から見た外観図、（ｃ）は背面から見た外観図。
【図２】（ａ）は完全クローズモードにおける正面からみた外観図、（ｂ）は右側面から見た外観図。
【図３】（ａ）は露出クローズモードにおける正面からみた外観図、（ｂ）は右側面から見た外観図。
【図４】完全クローズモードにおける右側面図を用いて本実施形態に係る携帯電話機の各部の厚さを説明するための図。
【図５】オープンモードにおける右側面図を用いて本実施形態に係る携帯電話機の連結部の様子の一例を説明するための図。
【図６】オープンモードにおける右側面図を用いて本実施形態に係る携帯電話機の連結部の様子の他の例を説明するための図。
【図７】第２回転軸面から第４の面までの距離のみを小さくする場合における完全クローズモード（第１の状態）および露出クローズモード（第２の状態）における第１の筐体と第２の筐体との隙間の違いを説明するための右側面図。
【図８】第１回転軸面から第２の面までの距離のみを小さくする場合における、完全クローズモード（第１の状態）および露出クローズモード（第２の状態）における第１の筐体と第２の筐体との隙間の違いを説明するための右側面図。
【図９】（ａ）は図１に示した携帯電話機の第１の筐体および第２の筐体の変形例について完全クローズモードにおける正面からみた外観図、（ｂ）は右側面から見た外観図。
【図１０】（ａ）は図１に示した携帯電話機の第１の筐体および第２の筐体の変形例について露出クローズモードにおける正面から見た外観図、（ｂ）は右側面から見た外観図。
【図１１】第２実施形態に係る携帯電話機の全体構成を示す概略的な斜視図。
【図１２】完全クローズモードにおける右側面図を用いて第２実施形態に係る携帯電話機の各部の厚さを説明するための図。
【図１３】半露出クローズモードにおける右側面図を用いて第２実施形態に係る携帯電話機の各部の厚さを説明するための図。
【符号の説明】
【００８０】
１０、１０Ａ  携帯電話機
１１  第１の筐体
１２  第２の筐体
１３  連結部
１４  第１の面
１５  第２の面
１６  表示部
１７  スピーカ穴
１８  第３の面
１９  第４の面
２０  操作部
２１  第１の回転部
２２  第２の回転部
２３  第１軸
２４  第２軸
２５  ロック解除ボタン
３１  第１回転軸面
３２  第２回転軸面
３３  第２筐体中心面
【図１】
2009141750.tif 000003
【図２】
2009141750.tif 000004
【図３】
2009141750.tif 000005
【図４】
2009141750.tif 000006
【図５】
2009141750.tif 000007
【図６】
2009141750.tif 000008
【図７】
2009141750.tif 000009
【図８】
2009141750.tif 000010
【図９】
2009141750.tif 000011
【図１０】
2009141750.tif 000012
【図１１】
2009141750.tif 000013
【図１２】
2009141750.tif 000014
【図１３】
2009141750.tif 000015